(57)【要約】【課題】  電気二重層コンデンサを用いて、光電変換素子から得られるアナログ画像信号に混入するノイズを低減し、画質の向上を図ること。【解決手段】  ＣＣＤイメージセンサ１０１、アナログ信号処理部１０２、イメージセンサ駆動部１０５に電源配線１３０を介して接続された主電源部１０と、電源配線１３０に接続された電気二重層コンデンサ１２１と、主電源部１０と電気二重層コンデンサ１２１との間の電源配線１３０に挿入接続された第１スイッチＳＷ１と、電源配線１３０における電気二重層コンデンサ１２１の接続点Ｐと電気二重層コンデンサ１２１との間に挿入接続された第２スイッチＳＷ２と、出力要求信号Ｓ０に応じて、第１スイッチＳＷ１を開き、主電源部１０からの電源電圧の供給が停止される場合、第２スイッチＳＷ２を開くくよう制御する読取制御部１００と、を備える画像読取装置４。【選択図】図２
2006303680.tif 000002
【特許請求の範囲】
【請求項１】
電源手段と、
前記電源手段と電源配線を介して接続され、光学像をアナログ画像信号に変換し出力するアナログ画像信号生成手段と、
前記電源配線に接続された電気二重層コンデンサと、
前記電源手段と前記電気二重層コンデンサとの間の電源配線に挿入接続された第１の開閉手段と、
前記アナログ画像信号の出力要求信号に応じて、前記第１の開閉手段を開くよう制御する制御手段と、
を備えることを特徴とする画像読取装置。
【請求項２】
前記制御手段は、前記アナログ画像信号の出力が要求されている間、前記第１の開閉手段を開くように制御すること、
を特徴とする請求項１に記載の画像読取装置。
【請求項３】
前記アナログ画像信号の出力要求信号に応じて、前記電気二重層コンデンサから前記アナログ画像信号生成手段に電圧が供給されること、
を特徴とする請求項１又は２に記載の画像読取装置。
【請求項４】
前記電源配線における前記電気二重層コンデンサの接続点と前記電気二重層コンデンサとの間に挿入接続された第２の開閉手段を備え、
前記制御手段は、
前記電源手段からの電源電圧の供給が停止される場合、前記第２の開閉手段を開くよう制御すること、
を特徴とする請求項１から３のいずれか一項に記載の画像読取装置。
【請求項５】
前記電源配線における前記電気二重層コンデンサの接続点と前記アナログ画像信号生成手段との間の電源配線に挿入接続されたＤＣ／ＤＣコンバータを備えること、
を特徴とする請求項１から４のいずれか一項に記載の画像読取装置。
【請求項６】
前記アナログ画像信号の出力要求信号とは、原稿の画像を読み取るよう指示する読取要求信号であること、
を特徴とする請求項１から５のいずれか一項に記載の画像読取装置。
【請求項７】
前記アナログ画像信号の出力要求信号とは、前記アナログ画像信号又は前記アナログ画像信号に基づく画像データの補正を要求するための信号及び前記補正のためのデータ取得を要求するための信号の少なくとも一方であること、
を特徴とする請求項１から５のいずれか一項に記載の画像読取装置。
【請求項８】
前記アナログ画像信号の出力要求信号とは、シェーディング補正要求信号であること、
を特徴とする請求項７に記載の画像読取装置。
【請求項９】
前記アナログ画像信号生成手段は、光学像をアナログ画像信号に変換するイメージセンサであること、
を特徴とする請求項１から８のいずれか一項に記載の画像読取装置。
【請求項１０】
前記アナログ画像信号生成手段は、前記イメージセンサから出力されたアナログ画像信号に対して信号処理を施すアナログ信号処理手段を含むこと、
を特徴とする請求項９に記載の画像読取装置。
【請求項１１】
前記アナログ画像信号生成手段は、前記イメージセンサを駆動させるイメージセンサ駆動手段を含むこと、
を特徴とする請求項９又は１０に記載の画像読取装置。
【請求項１２】
請求項１から１１のいずれか一項に記載の画像読取装置を備えた画像形成装置。
【発明の詳細な説明】
【技術分野】
【０００１】
本発明は、光電変換素子を用いた画像読取装置及び画像形成装置に関する。
【背景技術】
【０００２】
近年、複写機等の画像形成装置は、多機能化が進み、原稿等の被写体に光を照射して得られる光学像を電気信号に変換し画像データを取得する画像読取装置を備えている場合がある。このような画像読取装置は、ＣＣＤ（Charge Coupled Device）などの光電変換素子を用いて光学像をアナログ画像信号に変換し、アナログ画像信号をデジタル画像信号に変換して画像データを得る回路を備えている。
【０００３】
光電変換素子から得られるアナログ画像信号は、その波形そのものが情報であるため、アナログ画像信号を生成する光電変換素子やアナログ画像信号をデジタル画像信号に変換する回路及びこれらを駆動させる回路は、一定電圧を供給する電源装置が発生するノイズや周辺機器が発生するノイズの影響を受けることにより、出力するアナログ画像信号の波形を歪められてしまうという問題があった。
【０００４】
そこで、電源として、比較的ノイズの小さいアルカリ電池、水銀電池、リチウム電池等の一次電池や、放電したあとも充電によって繰り返し使用できるニッケル水素電池やリチウムポリマー電池等の二次電池を回路専用の電源として備えることによりノイズの混入を低減する方法が採用されている。また、ノイズの低電圧駆動素子への伝達を小さくするために、回路素子の近傍に、二次電池である積層型ポリマ電池を分散配置することにより、給電線の長さを短くする方法が開示されている（例えば、特許文献１参照）。
【特許文献１】特開平１１−２７８５９号公報
【発明の開示】
【発明が解決しようとする課題】
【０００５】
しかしながら、光電変換素子やアナログ画像信号をデジタル画像信号に変換する回路及びこれらを駆動させる回路の電源として一次電池を採用した場合、いったん放電してしまうと再びもとの状態に戻して使用することができないので、頻繁に一次電池の交換が必要となり、高コスト化、維持管理の増大化を招くものとなる。また、二次電池を採用した場合、充電時間に長時間を要するという問題があると共に複雑な充放電管理回路が必要となり、機器の大型化、高コスト化を招くという問題があるため、ユーザにとって使い勝手のよいものではなかった。
【０００６】
ところで、昨今の技術開発により、モータの起動電源や太陽電池を使用した照明機器の蓄電源として、電気二重層コンデンサが注目されている。電気二重層コンデンサは、小型でファラド（Ｆ）単位の大容量の静電容量を得ることができ、特別な充放電管理回路が不要であり、短時間充電できるという優れた特徴を有している。
【０００７】
本発明の課題は、電気二重層コンデンサを用いて、光電変換素子から得られるアナログ画像信号に混入するノイズを低減し、画質の向上を図り得る画像読取装置及び画像形成装置を提供することである。
【課題を解決するための手段】
【０００８】
請求項１に記載の発明は、電源手段と、前記電源手段と電源配線を介して接続され、光学像をアナログ画像信号に変換し出力するアナログ画像信号生成手段と、前記電源配線に接続された電気二重層コンデンサと、前記電源手段と前記電気二重層コンデンサとの間の電源配線に挿入接続された第１の開閉手段と、前記アナログ画像信号の出力要求信号に応じて、前記第１の開閉手段を開くよう制御する制御手段と、を備える画像読取装置であることを特徴としている。
【０００９】
請求項２に記載の発明は、請求項１に記載の画像読取装置において、前記制御手段は、前記アナログ画像信号の出力が要求されている間、前記第１の開閉手段を開くように制御すること、を特徴としている。
【００１０】
請求項３に記載の発明は、請求項１又は２に記載の画像読取装置において、前記アナログ画像信号の出力要求信号に応じて、前記電気二重層コンデンサから前記アナログ画像信号生成手段に電圧が供給されること、を特徴としている。
【００１１】
請求項４に記載の発明は、請求項１から３のいずれか一項に記載の画像読取装置において、前記電源配線における前記電気二重層コンデンサの接続点と前記電気二重層コンデンサとの間に挿入接続された第２の開閉手段を備え、前記制御手段は、前記電源手段からの電源電圧の供給が停止される場合、前記第２の開閉手段を開くよう制御すること、を特徴としている。
【００１２】
請求項５に記載の発明は、請求項請求項１から４のいずれか一項に記載の画像読取装置において、前記電源配線における前記電気二重層コンデンサの接続点と前記アナログ画像信号生成手段との間の電源配線に挿入接続されたＤＣ／ＤＣコンバータを備えること、を特徴としている。
【００１３】
請求項６に記載の発明は、請求項１から５のいずれか一項に記載の画像読取装置において、前記アナログ画像信号の出力要求信号とは、原稿の画像を読み取るよう指示する読取要求信号であること、を特徴としている。
【００１４】
請求項７に記載の発明は、請求項１から５のいずれか一項に記載の画像読取装置において、前記アナログ画像信号の出力要求信号とは、前記アナログ画像信号又は前記アナログ画像信号に基づく画像データの補正を要求するための信号及び前記補正のためのデータ取得を要求するための信号の少なくとも一方であること、を特徴としている。
【００１５】
請求項８に記載の発明は、請求項７に記載の画像読取装置において、前記アナログ画像信号の出力要求信号とは、シェーディング補正要求信号であること、を特徴としている。
【００１６】
請求項９に記載の発明は、請求項１から８のいずれか一項に記載の画像読取装置において、前記アナログ画像信号生成手段は、光学像をアナログ画像信号に変換するイメージセンサであること、を特徴としている。
【００１７】
請求項１０に記載の発明は、請求項９に記載の画像読取装置において、前記アナログ画像信号生成手段は、前記イメージセンサから出力されたアナログ画像信号に対して信号処理を施すアナログ信号処理手段を含むこと、を特徴としている。
【００１８】
請求項１１に記載の発明は、請求項９又は１０に記載の画像読取装置において、前記アナログ画像信号生成手段は、前記イメージセンサを駆動させるイメージセンサ駆動手段を含むこと、を特徴としている。
【００１９】
請求項１２に記載の発明は、請求項１から１１のいずれか一項に記載の画像読取装置を備えた画像形成装置であること、を特徴としている。
【発明の効果】
【００２０】
請求項１に記載の発明によれば、アナログ画像信号の出力要求信号に応じて、電源手段からアナログ画像信号生成手段への電源電圧の供給が遮断されるので、アナログ画像信号生成手段から出力されるアナログ画像信号に対して、電源手段が発生するノイズの混入を低減させることができ、アナログ画像信号のＳ／Ｎ比（Signal／Noise比）を向上させることができるため、画質の向上を図ることができる。
【００２１】
請求項２に記載の発明によれば、請求項１と同様の効果を得られるのは勿論のこと、アナログ画像信号の出力が要求されている間、電源手段からアナログ画像信号生成手段への電源電圧の供給が遮断されるので、要求されている信号へのノイズの混入を低減させることができ、画質の向上を図ることができる。
【００２２】
請求項３に記載の発明によれば、請求項１又は２と同様の効果を得られるのは勿論のこと、少なくともアナログ画像信号生成手段が光学像をアナログ画像信号に変換し出力する間は、電気二重層コンデンサから電源電圧が供給され、電源手段からアナログ画像信号生成手段への電源電圧の供給が遮断されるので、アナログ画像信号のＳ／Ｎ比を向上させることができ、画質の向上を図ることができる。
【００２３】
請求項４に記載の発明によれば、請求項１から３のいずれか一項と同様の効果を得られるのは勿論のこと、前記電源手段からの電圧電圧の供給が停止される場合、電気二重層コンデンサがアナログ画像信号生成手段及び電源手段から電気的に遮断されるため、電気二重層コンデンサに蓄積されている電荷を保持することができ、電源手段からの電圧供給が再度開始された場合における充電時間を短縮することができるので、画像読取のための待ち時間を短縮できると共に効率的なエネルギー管理を行うことができる。
【００２４】
請求項５に記載の発明によれば、請求項１から４のいずれか一項と同様の効果を得られるのは勿論のこと、電気二重層コンデンサからアナログ画像信号生成手段に出力される電源電圧を、所定時間、一定電圧値に保つことができるため、安定した電源電圧値を供給させることができ、アナログ画像信号のＳ／Ｎ比を向上させることができると共に、安定した高画質な画像を得ることができる。
【００２５】
請求項６に記載の発明によれば、請求項１から５のいずれか一項と同様の効果を得られるのは勿論のこと、読取要求信号に応じて第１の開閉手段を開くので、アナログ画像信号生成手段から出力されるアナログ画像信号には電源手段が発生するノイズの混入を低減させることができるため、読み取られた原稿の画像信号のＳ／Ｎ比を向上させることができ、画質の向上を図り得ることができる。
【００２６】
請求項７に記載の発明によれば、請求項１から５のいずれか一項と同様の効果を得られるのは勿論のこと、精度の高い補正データに基づいて補正をすることができ、画質の良い画像データを得ることができる。
【００２７】
請求項８に記載の発明によれば、請求項７と同様の効果を得られるのは勿論のこと、たとえば、光電変換素子毎の感度の不均一性や光源照度の不均一性、周辺部の照度低下などから生じる出力信号のバラツキ等のシェーディング補正の精度を向上させることができ、画質の向上を図ることができる。
【００２８】
請求項９に記載の発明によれば、請求項１から８のいずれか一項と同様の効果を得られるのは勿論のこと、電気二重層コンデンサからイメージセンサに電圧が供給され、イメージセンサから出力されるアナログ画像信号には電源手段が発生するノイズの混入を低減させることができるため、イメージセンサから出力されるアナログ画像信号のＳ／Ｎ比を向上させることができる。
【００２９】
請求項１０に記載の発明によれば、請求項９と同様の効果を得られるのは勿論のこと、電気二重層コンデンサからアナログ信号処理回路に電圧が供給され、アナログ信号処理回路は、電源手段が発生するノイズの混入の影響を受けずにアナログ画像信号に対して信号処理を施すことができるため、アナログ信号処理回路から出力される信号のＳ／Ｎ比を更に向上させることができる。
【００３０】
請求項１１に記載の発明によれば、請求項９又は１０と同様の効果を得られるのは勿論のこと、電気二重層コンデンサからイメージセンサ駆動回路に電圧が供給され、イメージセンサ駆動回路は、電源手段が発生するノイズの混入の影響を受けずに駆動信号を生成することができるため、生成される駆動信号のＳ／Ｎ比を向上させることができ、イメージセンサを精度よく駆動させることにより、更に高精度のアナログ画像信号を得ることができる。
【００３１】
請求項１２に記載の発明によれば、請求項１から１１のいずれか一項に記載の画像読取装置と同様の効果を得ることができ、高画質の画像を形成することが可能な画像形成装置を提供することができる。
【発明を実施するための最良の形態】
【００３２】
以下、図を参照して本発明の実施の形態を詳細に説明する。
まず、構成を説明する。
【００３３】
図１に、本発明の実施の形態における画像形成装置１の概略構成図を示す。
画像形成装置１は、原稿に書かれた文字や記号等のテキストデータ、図形、写真等のイメージデータ等の画像を画像データとして読み取り、読み取った画像データを紙等の記録媒体に画像形成するコピー機能や、パーソナルコンピュータ等から画像データを受信し、画像データが表す画像を記録媒体上に形成して出力するプリンタ機能等を備えたデジタル複合機である。図１に示すように、画像形成装置１は、本体制御部２、操作表示部３、画像読取部４、画像処理部５、プリント部６、駆動部７、通信部８等により構成され、各部は信号線９を介して各種データを送受信可能な構成となっている。
【００３４】
本体制御部２は、ＣＰＵ（Central Processing Unit）、ＲＯＭ（Read Only Memory）、ＲＡＭ（Random Access Memory）、不揮発ＲＡＭ等から構成され、ＲＯＭや不揮発ＲＡＭに格納されているプログラムやデータをＲＡＭ等の一時記憶領域（図示略）に展開し、当該プログラムに基づいて画像形成装置１全体の制御や画像形成装置１内の各部と相互に各種情報を送受信可能に接続されており、各部からの情報を受信し、受信した情報を判断して、判断結果である動作指示等の情報を各部に出力し、各部を統括的に制御している。
【００３５】
操作表示部３は、コピースタートキー、テンキー、電源スイッチ等の各種操作キーを備え、これらのキーの操作信号を本体制御部２に出力する。また、操作表示部３は、ＬＣＤ（Liquid Crystal Display）画面及びタッチパネルを有し、本体制御部２から入力される表示信号の指示に従って、ＬＣＤ画面上に各種操作ボタンや、装置の状態表示、各機能の動作状況などの表示を行うと共に、電磁誘導式、磁気歪式、感圧式等の座標読取り原理でタッチ指示された座標を検出し、検出した座標を位置信号として本体制御部２に出力する。この操作表示部３は、例えば、ユーザによるキー操作又はタッチ指示により指示された原稿の読取り開始、転写枚数、転写濃度、転写用紙の選択等の各種の制御情報を本体制御部２に出力する。
【００３６】
画像読取部４は、原稿を照明するランプ等の光源、複数のミラー等からなる光学系、原稿からの反射光を集光するためのレンズ、コンタクトガラス、ＣＣＤ（Charge Coupled Device）イメージセンサ等を備えて構成されている画像読取装置である。画像読取部４は、本体制御部２からの指示に従って、原稿の読取動作時において、光源の点滅、複数のミラー等からなる光学系の駆動、ＣＣＤイメージセンサの駆動などが行われ、原稿からアナログ画像信号を生成し、アナログ画像信号をデジタル画像信号に変換して画像データを取得し、画像処理部５に出力する。画像読取部４の内部構成については後に図２を参照して詳細に説明する。
【００３７】
画像処理部５は、画像読取部４から入力された画像データ又は通信部８から受信された画像データに対して、本体制御部２からの動作指示、操作表示部３からの操作指示、或いは通信部８から受信したデータに含まれる指示データに従って、拡大、縮小、回転、位置変換等の各種の画像処理を施し、その画像処理した画像データをプリント部６に出力する。
【００３８】
プリント部６は、本体制御部２からの動作指示に従って、記録媒体を搬送させ、搬送される記録媒体上に画像処理部５で画像処理された画像データに基づいてトナー画像を転写して定着させ画像形成する。
【００３９】
駆動部７は、本体制御部２からの動作指示に従って、各種搬送ローラやレジストローラ、給紙ローラ、定着ローラ等の画像形成装置１の各部を動作させる。
【００４０】
通信部８は、モデム、ＴＡ（Terminal Adapter）やルータ等によって構成され、ネットワークに接続された外部機器との通信の制御を行う。例えば、外部機器から画像データを通信部８を介して受信することが可能である。
【００４１】
図２に、画像読取部４の概略構成図を示す。
図２に示すように、画像読取部４は、原稿を照明する光源Ｌ、ＣＣＤイメージセンサ１０１、アナログ信号処理部１０２、Ａ／Ｄ変換部１０３、デジタル信号処理部１０４、イメージセンサ駆動部１０５、パルス発生部１０６、光源駆動部１０７、読取制御部１００の制御系と、電気二重層コンデンサ１２１、ＤＣ／ＤＣコンバータ１２２、レギュレータ１２３、１２４、第１スイッチＳＷ１、第２スイッチＳＷ２等の電源電圧供給系等から構成される。
【００４２】
ＣＣＤイメージセンサ１０１は、光学像を電気信号（アナログ画像信号）に変換するイメージセンサであり、原稿の主走査方向にライン状に複数配列された光電変換素子を有しており、原稿画像の１主走査毎に画像データを読み取り、１主走査分の画像データのアナログ画像信号を奇数列及び偶数列の画像信号に分けて出力する。ＣＣＤイメージセンサ１０１から出力された偶数列及び奇数列のアナログ画像信号は、後述するアナログ信号処理部１０２においてそれぞれ信号処理が施され、後段のデジタル信号処理部１０４で合成され、再び１ラインの画像データに戻される。
【００４３】
なお、本実施の形態としで、イメージセンサとしてＣＣＤを用いたイメージセンサを備えた画像読取部４について説明するが、ＣＭＯＳ（Complementary Metal Oxide Semiconductor）等を用いたイメージセンサを備えた画像読取部４であってもよい。
【００４４】
アナログ信号処理部１０２は、ＣＣＤイメージセンサ１０１から出力されたアナログ画像信号に対して黒レベル補正等の信号処理を施し、Ａ／Ｄ変換部１０３へ出力するアナログ信号処理手段である。
【００４５】
Ａ／Ｄ変換部１０３は、アナログ信号処理部１０２から入力されたアナログ画像信号をデジタル画像信号に変換し、デジタル信号処理部１０４へ出力する。
【００４６】
デジタル信号処理部１０４は、Ａ／Ｄ変換部１０３から入力されたデジタル画像信号に対して黒レベル補正、信号増幅処理、シェーディング補正等の各種信号処理を施し、画像処理部５へ出力する。
【００４７】
イメージセンサ駆動部１０５は、パルス発生部１０６から入力される駆動パルスに基づいてタイミングパルスを出力し、ＣＣＤイメージセンサ１０１を駆動制御させるイメージセンサ駆動手段である。
【００４８】
ＣＣＤイメージセンサ１０１、アナログ信号処理部１０２、イメージセンサ駆動部１０５によって、原稿から得られる光学像をアナログ画像信号に変換し出力するアナログ画像信号生成手段が構成される。
【００４９】
パルス発生部１０６は、読取制御部１００から入力される制御信号に基づいて、駆動パルスを出力し、ＣＣＤイメージセンサ１０１、アナログ信号処理部１０２、Ａ／Ｄ変換部１０３、デジタル信号処理部１０４等の画像読取部４内部の駆動タイミングの調整を行う。
【００５０】
光源駆動部１０７は、読取制御部１００から入力される制御信号に基づいて、光源Ｌを点滅動作させる。
【００５１】
主電源部１０は、ＣＣＤイメージセンサ１０１、アナログ信号処理部１０２、イメージセンサ駆動部１０５に電源配線１３０を介して接続された電源手段である。なお、画像読取装置４内部又は／及び画像形成装置１各部に電源電圧を供給するよう接続されていてもよく、図２においては、本発明に拘わる部分の電源配線１３０を図示するものとする。
【００５２】
電気二重層コンデンサ１２１は、固体電極（例えば、活性炭）と電解液の境面に電荷が蓄積される電気二重層現象を利用した蓄電デバイスであり、主電源部１０とＣＣＤイメージセンサ１０１、アナログ信号処理部１０２、イメージセンサ駆動部１０５との間の電源配線１３０に接続されており、主電源部１０から供給される電力によって充電される。
【００５３】
ＤＣ／ＤＣコンバータ１２２は、電源配線１３０における電気二重層コンデンサ１２１の接続点Ｐとアナログ画像信号を生成するＣＣＤイメージセンサ１０１、アナログ信号処理部１０２、イメージセンサ駆動部１０５との間の電源配線１３０に挿入接続されており、主電源部１０又は電気二重層コンデンサ１２１から供給された電源電圧を画像読取部４内で必要とされる電源電圧（例えば、＋１２Ｖ）に変換する回路である。
【００５４】
このように、ＤＣ／ＤＣコンバータが接続されることにより、電気二重層コンデンサから出力される電源電圧を、所定時間、一定電圧値に保つことができるため、電気二重層コンデンサからＤＣ／ＤＣコンバータより下流の各部に安定した電源電圧を供給させることができ、生成されるアナログ画像信号のＳ／Ｎ比を向上させることができる。
【００５５】
レギュレータ１２３、１２４は、主電源部１０又は電気二重層コンデンサ１２１からＤＣ／ＤＣコンバータ１２２を介して供給された電源電圧を、アナログ信号処理部１０２、イメージセンサ駆動部１０５内で必要とされる電源電圧（例えば、＋５Ｖ）に変換する回路である。
【００５６】
第１スイッチＳＷ１は、主電源部１０と電気二重層コンデンサ１２１との間の電源配線１３０に挿入接続されており、読取制御部１００から入力される第１切替信号Ｓ１に基づいて、開閉動作される第１の開閉手段である。
【００５７】
第１スイッチＳＷ１は、読取制御部１００から入力される第１切替信号Ｓ１に基づいて主電源部１０からの電源電圧の供給／遮断機能を有する開閉手段であり、例えば、駆動コイル（電磁石）等により制御されるメカニカルリレー、トライアックやＭＯＳＦＥＴ等によるソリッドステートリレーを挙げることができる。
【００５８】
第２スイッチＳＷ２は、電源配線１３０における電気二重層コンデンサ１２１の接続点Ｐと電気二重層コンデンサ１２１との間に挿入接続されており、読取制御部１００から入力される第２切替信号Ｓ１に基づいて、開閉動作される第２の開閉手段である。
【００５９】
第２スイッチＳＷ２は、主電源部１０からの電源電圧の供給が停止した場合において、電気二重層コンデンサが確実に主電源部１０及びＤＣ／ＤＣコンバータ１２２より下流の各部（ＣＣＤイメージセンサ１０１、アナログ信号処理部１０２、イメージセンサ駆動部１０５）から電気的に遮断されるように、駆動コイル（電磁石）等により制御されるメカニカルリレーを用いることが好ましい。
【００６０】
読取制御部１００は、ＣＰＵ、ＲＯＭ、ＲＡＭなどにより構成されており、ＣＰＵは、ＲＯＭ内に記憶されているシステムプログラム、各処理プログラム、データを読み出して、ＲＡＭ内に展開し、展開されたプログラムに従って、画像読取部４各部の動作を制御する。原稿の読取動作時において、光源Ｌの点滅制御、複数のミラー等からなる光学系の可動制御、ＣＣＤイメージセンサ１０１の駆動制御などを行うものである。
【００６１】
読取制御部１００は、主電源部１０の電源スイッチの操作信号と本体制御部２から入力されるアナログ画像信号の出力要求信号Ｓ０とに基づいて、第１スイッチＳＷ１及び第２スイッチＳＷ２の開閉動作を行う制御手段として機能する。
【００６２】
本実施の形態においては、読取制御部１００から第１スイッチＳＷ１へ出力される信号を第１切替信号Ｓ１とし、読取制御部１００から第２スイッチＳＷ２へ出力される信号を第２切替信号Ｓ２とする。また、以下、第１スイッチＳＷ１及び第２スイッチＳＷ２が開状態であることをＯＦＦ状態とし、閉状態であることをＯＮ状態という。
【００６３】
読取制御部１００は、本体制御部２から入力されるアナログ画像信号の出力要求信号Ｓ０に基づいて、出力要求信号Ｓ０を受け付けている期間は、第１スイッチＳＷ１が開く（ＯＦＦさせる）ように第１切替信号Ｓ１を出力し、主電源部１０からＤＣ／ＤＣコンバータ１２２より下流の各部（ＣＣＤイメージセンサ１０１、アナログ信号処理部１０２、イメージセンサ駆動部１０５）への電源電圧の供給を遮断させ、電気二重層コンデンサ１２１から電源電圧が供給されるよう制御する。
【００６４】
アナログ画像信号の出力要求信号Ｓ０とは、操作表示部３が操作されること又は通信部８を介して外部の情報機器より入力されることにより本体制御部２から指示される原稿の画像の読み取り開始を指示する信号（読取要求信号）又は本体制御部２又は通信部８を介して外部の情報機器から指示された補正の要求信号又は補正のためのデータ取得の要求信号である。
【００６５】
なお、補正の要求信号には、アナログ画像信号を補正するための要求信号、及びアナログ画像信号をＡ／Ｄ変換した後のデジタル画像信号を補正するための要求信号を含む。本実施形態では、補正の要求信号として、シェーディング補正を要求する信号（シェーディング補正要求信号）を例にとって説明する。
【００６６】
本実施形態においては、第１スイッチＳＷ１をＯＦＦさせる例として、出力要求信号Ｓ０を受け付けている期間をアナログ画像信号の出力が要求されている期間として説明するが、出力要求信号Ｓ０の入力に応じてＯＦＦし、要求される信号の取得が完了したことを検知するまでをアナログ画像信号の出力が要求されている期間としても良い。
【００６７】
また、読取制御部１００は、本体制御部１００から主電源部１０からの電源電圧の供給が停止される旨の指示が入力された場合（電源スイッチをＯＦＦする操作信号が入力された場合）、第１スイッチＳＷ１及び第２スイッチＳＷ２を開く（ＯＦＦさせる）ようにする旨の第１切替信号Ｓ１及び第２切替信号Ｓ２を出力し、電気二重層コンデンサ１２１が主電源部１０及びＤＣ／ＤＣコンバータ１２２より下流の各部（ＣＣＤイメージセンサ１０１、アナログ信号処理部１０２、イメージセンサ駆動部１０５）から電気的に遮断されるよう制御する。
【００６８】
このように、出力要求信号Ｓ０を受け付けている期間は、電気二重層コンデンサ１２１からＣＣＤイメージセンサ１０１、アナログ信号処理部１０２、イメージセンサ駆動部１０５に電源電圧が供給されると共に、イメージセンサ駆動部１０５は、主電源１０から電気的に遮断される。これにより、主電源部１０が発生するノイズの影響を受けずに駆動信号を生成することができ、Ｓ／Ｎ比が向上された高精度の駆動信号をＣＣＤイメージセンサ１０１に出力することができる。そして、ＣＣＤイメージセンサ１０１は、主電源部１０が発生するノイズの影響を受けずにイメージセンサ駆動部１０５から入力された高精度の駆動信号に基づいて駆動され、かつＣＣＤイメージセンサ自体も主電源部１０から電気的に遮断されているので、よりＳ／Ｎ比が向上されたアナログ画像信号を出力することができる。さらに、アナログ信号処理部１０２は、主電源部１０が発生するノイズの影響を受けずにＣＣＤイメージセンサ１０１から入力されたＳ／Ｎ比が向上されたアナログ画像信号に対して信号処理を施すことができ、かつアナログ信号処理部自体も主電源部１０から電気的に遮断されているので、更に信号処理済みのアナログ画像信号のＳ／Ｎ比が向上され、プリント部６で形成される画像の画質を向上させることができる。
【００６９】
次に、本実施の形態の動作を説明する。
図３に、本実施の形態における第１スイッチＳＷ１及び第２スイッチＳＷ２の制御フローを示す。本実施の形態における動作は、読取制御部１００において実行されるものとして説明する。
【００７０】
読取制御部１００は、主電源部１０の電源スイッチがＯＮ状態である旨を示す操作信号が本体制御部２から入力されているか否かを判別する（ステップＳ１）。読取制御部１００は、本体制御部２から電源スイッチがＯＮ状態である旨を示す信号が入力されていると判別した場合（ステップＳ１；Ｙｅｓ）、第１スイッチＳＷ１をＯＮさせる旨の第１切替信号Ｓ１を第１スイッチＳＷ１に出力する（ステップＳ２）。第１スイッチＳＷ１はＯＮ状態となり、主電源部１０から画像読取部４に電源電圧が供給される。
【００７１】
また、読取制御部１００は、第１スイッチＳＷ１をＯＮさせる旨の第１切替信号Ｓ１を第１スイッチＳＷ１に出力した後（ステップＳ２後）、第２スイッチＳＷ２をＯＮさせる旨の第２切替信号Ｓ２を第２スイッチＳＷ２に出力する（ステップＳ３）。第２スイッチＳＷ２はＯＮ状態となり、主電源部１０から供給される電源電圧によって電気二重層コンデンサ１２１に電荷が充電される。
【００７２】
なお、第１スイッチＳＷ１がＯＮ状態となった後、第２スイッチＳＷ２をＯＮさせる場合を示したが、第１スイッチＳＷ１及び第２スイッチＳＷ２を同時にＯＮさせてもよい。
【００７３】
第１スイッチＳＷ１及び第２スイッチＳＷ２が共にＯＮ状態である場合（ステップＳ３後）、読取制御部１００は、本体制御部２から出力要求信号Ｓ０が入力されたか否か（出力要求信号Ｓ０がＯＮ状態か否か）を判別する（ステップＳ４）。
【００７４】
読取制御部１００は、本体制御部２から出力要求信号Ｓ０が入力されたと判別した場合（ステップＳ４；Ｙｅｓ）、第１スイッチＳＷ１をＯＦＦさせる旨の第１切替信号Ｓ１を第１スイッチＳＷ１に出力し（ステップＳ５）、本体制御部２から出力要求信号Ｓ０の入力が解除されたか否か（出力要求信号Ｓ０がＯＦＦ状態か否か）を判別する（ステップＳ６）。
【００７５】
読取制御部１００は、本体制御部２から出力要求信号Ｓ０の入力が解除されていないと判別した場合（ステップＳ６；Ｎｏ）、出力要求信号Ｓ０の入力が解除されるまで待機する（ステップＳ６の判別を繰り返す）。即ち、ステップＳ６がＮｏと判別され続ける期間は、ＤＣ／ＤＣコンバータ１２２よりも下流の各部は、主電源部１０からの電源電圧の供給が遮断され、電気二重層コンデンサ１２１から電源電圧が供給されることとなる。
【００７６】
読取制御部１００は、本体制御部２から出力要求信号Ｓ０の入力が解除されたと判別した場合（ステップＳ６；Ｙｅｓ）、第１スイッチＳＷ１をＯＮさせる旨の第１切替信号Ｓ１を第１スイッチＳＷ１に出力する（ステップＳ７）。
【００７７】
読取制御部１００は、本体制御部２から出力要求信号Ｓ０が入力されていないと判別した場合（ステップＳ４；Ｎｏ）又はステップＳ７後、本体制御部２から電源スイッチをＯＦＦする操作信号が入力されたか否かを判別する（ステップＳ８）。
【００７８】
読取制御部１００は、電源スイッチをＯＦＦする操作信号が入力されていないと判別した場合（ステップＳ８；Ｎｏ）、ステップＳ４に戻る。
【００７９】
読取制御部１００は、電源スイッチをＯＦＦする操作信号が入力されたと判別した場合（ステップＳ８；Ｙｅｓ）、第２スイッチＳＷ２をＯＦＦする旨の第２切替信号Ｓ２を第２スイッチＳＷ２に出力する（ステップＳ９）。第２スイッチＳＷ２はＯＦＦ状態となり、主電源部１０及びＤＣ／ＤＣコンバータ１２２よりも下流の各部とは電気的に遮断されるため、電気二重層コンデンサ１２１に蓄積された電荷が保持される。
【００８０】
読取制御部１００は、第２スイッチＳＷ２をＯＦＦさせる旨の第２切替信号Ｓ２を第２スイッチＳＷ２に出力した後（ステップＳ９後）、第１スイッチＳＷ１をＯＦＦさせる旨の第１切替信号Ｓ１を第１スイッチＳＷ１に出力する（ステップＳ１０）。
【００８１】
第１スイッチＳＷ１がＯＦＦ状態となった後（ステップＳ１０後）、主電源部１０からの電源電圧の供給が完全に停止され（ステップＳ１１）、画像形成装置１の動作が停止する。
【００８２】
図４に、本実施の形態におけるタイミングチャートの一例を示す。
図４に示すタイミングチャートは、操作表示部３が備える電源スイッチの操作信号、画像読取部４の動作モード、読取制御部１００が本体制御部２から入力される出力要求信号Ｓ０、読取制御部１００が第１スイッチＳＷ１へ出力する第１切替信号Ｓ１及び第２スイッチＳＷ２へ出力する第２切替信号Ｓ２、電気二重層コンデンサ１２１の動作モード（ＥＤＬＣ（Electric Double Layer Capacitor）動作モード）を示す。
【００８３】
まず、時刻ｔ１のとき、電源スイッチの操作信号がＯＦＦ状態からＯＮ状態に切り替わり、出力要求信号Ｓ０がＯＦＦ状態であるため、画像読取部４の動作モードは待機状態となる。そのため、第１切替信号Ｓ１及び第２切替信号Ｓ２がＯＦＦ状態からＯＮ状態に切り替わり、電気二重層コンデンサ１２１は、電荷保持状態から主電源部１０から電源電圧の供給を受けて充電状態に切り替わる。
【００８４】
時刻ｔ２のとき、電源スイッチの操作信号がＯＮ状態、本体制御部２からシェーディング補正要求信号が入力され、出力要求信号Ｓ０がＯＦＦ状態からＯＮ状態に切り替わる。そのため、第１切替信号Ｓ１がＯＮ状態からＯＦＦ状態と切り替わり、電気二重層コンデンサ１２１は、主電源部１０から電源電圧の供給が停止され、充電状態から放電状態に切り替わる。
【００８５】
時刻ｔ３のとき、電源スイッチの操作信号がＯＮ状態、本体制御部２からシェーディング補正要求信号の入力が解除されるため、出力要求信号Ｓ０がＯＮ状態からＯＦＦ状態に切り替わる。そのため、第１切替信号Ｓ１がＯＦＦ状態からＯＮ状態へ切り替わり、電気二重層コンデンサ１２１は、放電状態から主電源部１０から電源電圧の供給を受けて充電状態に切り替わる。
【００８６】
このように、時刻ｔ２からｔ３の期間、即ち、シェーディング補正要求信号が入力されている期間は、電気二重層コンデンサ１２１からＤＣ／ＤＣコンバータ１２２よりも下流の各部に電源電圧が供給されるため、出力されるアナログ画像信号は、主電源部１０が発生するノイズの混入が低減され、シェーディング補正、即ち、光電変換素子毎の感度の不均一性や光源照度の不均一性、周辺部の照度低下などから生じる出力信号のバラツキの補正の精度が向上されるため、プリント部６において形成される画像の画質を向上させることができる。
【００８７】
時刻ｔ４のとき、電源スイッチの操作信号がＯＮ状態、本体制御部２から読取要求信号が入力され、出力要求信号Ｓ０がＯＦＦ状態からＯＮ状態に切り替わる。そのため、第１切替信号Ｓ１がＯＮ状態からＯＦＦ状態と切り替わり、電気二重層コンデンサ１２１は、主電源部１０から電源電圧の供給が停止され、充電状態から放電状態に切り替わる。
【００８８】
時刻ｔ５のとき、電源スイッチの操作信号がＯＮ状態、本体制御部２から読取要求信号の入力が解除されるため、出力要求信号Ｓ０がＯＮ状態からＯＦＦ状態に切り替わる。そのため、第１切替信号Ｓ１がＯＦＦ状態からＯＮ状態へ切り替わり、電気二重層コンデンサ１２１は、放電状態から主電源部１０から電源電圧の供給を受けて充電状態に切り替わる。
【００８９】
このように、時刻ｔ４からｔ５の期間、即ち、原稿から画像データの読み取りを行っている期間は、電気二重層コンデンサ１２１からＤＣ／ＤＣコンバータ１２２よりも下流の各部に電源電圧が供給されるため、出力されるアナログ画像信号は、主電源部１０が発生するノイズの混入が低減されアナログ画像信号のＳ／Ｎ比が向上されるため、プリント部６において形成される画像の画質を向上させることができる。
【００９０】
時刻ｔ６のとき、電源スイッチの操作信号がＯＮ状態からＯＦＦ状態に切り替わり、出力要求信号Ｓ０がＯＦＦ状態であるため、画像読取部４は停止状態となる。また、電源スイッチの操作信号がＯＦＦ状態となるため、第２切替信号ＳＷ２がＯＮ状態からＯＦＦ状態に切り替わった後、第１切替信号Ｓ１がＯＮ状態からＯＦＦ状態に切り替わる。
【００９１】
第２切替信号ＳＷ２がＯＦＦ状態に切り替わった後に第１切替信号ＳＷ１がＯＦＦ状態に切り替わるため、電気二重層コンデンサ１２１を主電源部１０及びＤＣ／ＤＣコンバータ１２２よりも下流の各部と電気的に遮断してから、主電源部１０からの電源電圧の供給を停止させることができる。したがって、電気二重層コンデンサ１２１に蓄積されている電荷は、画像形成装置１の停止後も保持され、主電源部１０からの電源電圧供給が再開始された場合における電荷の充電時間が短縮されることとなり、効率的なエネルギー管理を行うことができる。
【００９２】
なお、本実施の形態では、第２スイッチＳＷ２をＯＦＦしてから第１スイッチＳＷ１をＯＦＦした後、主電源部１０からの電源電圧の供給を停止する事としたが、第１スイッチＳＷ１をＯＦＦしてから主電源部１０からの電源電圧の供給の停止と第２スイッチＳＷ２のＯＦＦ動作を同時とする構成であっても同様の効果を得ることができる。
【００９３】
また、本実施の形態では、画像読取装置の適用例として、デジタル複合機を説明したが、本発明は、スキャナやファクシミリ装置にも適用可能である。
【００９４】
このように、出力要求信号Ｓ０が受け付けられている期間のＣＣＤイメージセンサ１０１、アナログ信号処理部１０２、イメージセンサ駆動部１０５は、主電源部１０からの電源電圧の供給が遮断され、電気二重層コンデンサ１２１からのみの電源電圧の供給により駆動されることになる。したがって、出力されるアナログ画像信号は、主電源部１０が発生するノイズの混入が低減されアナログ画像信号のＳ／Ｎ比が向上されるため、プリント部６において形成される画像の画質が向上される。
【図面の簡単な説明】
【００９５】
【図１】本発明の実施形態における画像形成装置１の概略構成図である。
【図２】画像読取部４の概略構成図である。
【図３】本実施の形態における第１スイッチＳＷ１及び第２スイッチＳＷ２の制御フローである。
【図４】本実施の形態におけるタイミングチャートの一例である。
【符号の説明】
【００９６】
１  画像形成装置
２  本体制御部
３  操作表示部
４  画像読取部
５  画像処理部
６  プリント部
７  駆動部
８  通信部
９  信号線
１０  主電源部
１００  読取制御部
１０１  ＣＣＤイメージセンサ
１０２  アナログ信号処理部
１０３  Ａ／Ｄ変換部
１０４  デジタル信号処理部
１０５  イメージセンサ駆動部
１０６  パルス発生部
１０７  光源駆動部
１２１  電気二重層コンデンサ
１２２  ＤＣ／ＤＣコンバータ
１２３、１２４  レギュレータ
１３０  電源配線
Ｌ  光源
Ｓ０  出力要求信号
Ｓ１  第１切替信号
Ｓ２  第２切替信号
ＳＷ１  第１スイッチ
ＳＷ２  第２スイッチ
Ｐ  接続点
【図１】
2006303680.tif 000003
【図２】
2006303680.tif 000004
【図３】
2006303680.tif 000005
【図４】
2006303680.tif 000006